(57)【要約】【課題】使用者が引く方向を間違えて引戸を引こうとしたときにも、引戸が破損することを防止して、適正な方向に開閉することができる引戸用取手と引戸を提供する。【解決手段】取手１３は柱状体であって、この柱状体の横方向の幅は、取付面１３ｂ側が広く、取付面１３ｂから遠くなるに伴って狭くなるように形成されている。使用者から見ると、使用者に近い側の方が狭くなる構造となっている。そのため、引戸を開こうとして使用者が取手１３に手を掛けたときに、使用者が誤って引戸を自分が位置する側に引こうとしても、取手１３は力を入れにくい形状となっているため、大きな力で引戸を自分の側に引くことができない。そのため、引戸の留め具やレールを破損することがない。【選択図】図２
2008190211.tif 000002
【特許請求の範囲】
【請求項１】
引戸に取付られる柱状体の引戸用取手であって、前記柱状体の幅は引戸への取付面が最も広く、前記取付面から遠くなるに伴って狭くなるように形成されていることを特徴とする引戸用取手。
【請求項２】
前記柱状体の上面または横面は三角形状、台形状、または先端部が円弧状のいずれかであることを特徴とする請求項１記載の引戸用取手。
【請求項３】
請求項１または請求項２のいずれかに記載の引戸用取手が取付けられた引戸。
【発明の詳細な説明】
【技術分野】
【０００１】
本発明は、引戸を開閉する際に使用される引戸用取手と、この取手が設けられた引戸に関する。
【背景技術】
【０００２】
引戸は様々な場所に設置されて使用されている。一般的に使用されている引戸の例を図４に示す。
図４において、引戸５０はレール５１に吊された上吊引戸であり、戸板５２の一端に取手５３が取付けられている。戸板５２の上方には車輪固定部５４が設けられ、この車輪固定部５４内に、レール５１と接するように車輪５５が配置されている。引戸５０を開けようとするものは、取手５３に手を掛けて、矢印で示す方向に引戸５０をレール５１に沿って移動させる。
【０００３】
ところが、取手５３が図示したもののようにコの字型のものであると、矢印で示す方向ではなく、自分が立っている側に誤って引っ張ることも可能であるため、このような方向に引戸５０が引っ張られると、引戸５０の留め具やレール５１を破損してしまう。引戸５０はこのような状況を想定せずに作られているのが通常であるため、誤って使用されることにより容易に破損するという事態が生じている。また、使用者側から見ると、何度か立ち寄った場所であれば引く方向を間違えることは少ないものの、初めての場所である場合や、急用があって慌てている場合などには、案外引く方向を間違えることがある。
【０００４】
引戸に関しては様々な改良がなされており、その一つとして、収納を効率良く行うことを目的とした技術の一例が、特許文献１に記載されている。
【０００５】
【特許文献１】特開２００６−２１９８６６号公報
【発明の開示】
【発明が解決しようとする課題】
【０００６】
しかし、上述したような、引く方向を間違えたときを想定した対策が採られた例はまだない。
本発明は、このような事情を考慮してなされたもので、使用者が引く方向を間違えて引戸を引こうとしたときにも、引戸が破損することを防止して、適正な方向に開閉することができる引戸用取手と、この引戸用取手が設けられた引戸を提供することを目的とする。
【課題を解決するための手段】
【０００７】
以上の課題を解決するために、本発明の引戸用取手は、引戸に取付られる柱状体の引戸用取手であって、前記柱状体の幅は引戸への取付面が最も広く、前記取付面から遠くなるに伴って狭くなるように形成されていることを特徴とする。
【０００８】
引戸用取手がこのような柱状体となっていることにより、引戸を開こうとして使用者が取手に手を掛けたときに、使用者が誤って引戸を自分が位置する側に引こうとしても、取手は力を入れにくい形状となっているため、大きな力で引戸を自分の側に引くことができない。そのため、引戸の留め具やレールを破損することがない。その一方で、引戸をレール方向に沿って正常に引くためには、取手を手で保持すればよく、正常な方向への移動には支障がない構造となっている。
また、取手の取付面は最も広くなるように形成されているため、戸板に取付けるために必要な面積は十分に確保されており、取手の戸板への固定は強固である。
【０００９】
このような柱状体を形成することは、柱状体の上面または横面を三角形状、台形状、または先端部が円弧状のいずれかとすることによって可能である。
これらの形状の柱状体は作製が簡単であり、また、引戸をレール方向に沿って正常な方向に引く際に、柱状体に形成される側面を手で押せばよく、操作性がよい。
【００１０】
また本発明は、上記の構成の引戸用取手が取付けられた引戸であり、誤った方向に引かれることを防止することができるので、破損しにくい。
【発明の効果】
【００１１】
本発明によると、使用者が引く方向を間違えて引戸を引こうとしたときにも、引戸が破損することを防止することができる引戸用取手と引戸とを提供することができる。
【発明を実施するための最良の形態】
【００１２】
以下に、本発明をその実施形態に基づいて説明する。
図１に、本発明の実施形態に係る引戸を示す。
図１において、引戸１０はレール１１に吊された上吊引戸であり、戸板１２の一端に柱状体をなす取手１３が取付けられている。戸板１２の上方には車輪固定部２１が設けられ、この車輪固定部２１内に、レール１１と接するように車輪２２が配置されている。引戸１０を開けようとする者は、取手１３に手を掛けて、矢印で示す方向に引戸１０をレール１１に沿って移動させる。なお、上吊引戸は、人の手によって開放されると、引き込みばねの機能によって戸板１２がもとの位置にもどって閉まる半自動式のものが普及しており、本発明もこのような半自動式のものを主たる適用対象としているが、これに限定されるものではなく、半自動式以外の上吊引戸、あるいは上吊引戸以外の引戸に対しても広く適用できるものである。
なお、図１においては、柱状体の取手１３の長手方向が戸板１２の上下方向となるように配置しているが、柱状体の取手１３の長手方向が戸板１２の左右方向となるように配置してもよい。
【００１３】
図２に、取手１３の詳細の一例を示す。図２（ａ）に示すものは、取手１３の上面１３ａが三角形である柱状のものであり、取付面１３ｂで取手１３は戸板１２に取付けられる。使用者が取手１３に手を掛ける際には、側面１３ｃが手で保持する面となる。
【００１４】
図２（ｂ）に示すものは、取手１３の上面１３ａの先端部が円弧状である柱状のものであり、取付面１３ｂで取手１３は戸板１２に取付けられる。使用者が取手１３に手を掛ける際には、側面１３ｃが手で保持する面となる。
【００１５】
図２（ｃ）に示すものは、取手１３の上面１３ａが台形である柱状のものであり、取付面１３ｂで取手１３は戸板１２に取付けられる。使用者が取手１３に手を掛ける際には、側面１３ｃが手で保持する面となる。
【００１６】
本発明における取手１３はいずれの場合も、取手１３の横方向の幅は、取付面１３ｂ側が広く、取付面１３ｂから遠くなるに伴って狭くなるように形成された柱状体である点に大きな特徴がある。つまり、使用者から見ると、使用者に近い側の方が狭くなる構造となっている。そのため、引戸１０を開こうとして使用者が取手１３に手を掛けたときに、使用者が誤って引戸１０を自分が位置する側に引こうとしても、取手１３は力を入れにくい形状となっているため、大きな力で引戸１０を自分の側に引くことができない。そのため、引戸の留め具やレール１１を破損することがない。また、引戸１０を矢印に示す方向に正常に引くためには、側面１３ｃを手で保持すればよく、正常な方向への移動には支障がない構造となっている。
なお、以上の説明は、柱状体の取手１３の長手方向が戸板１２の上下方向となるように配置した場合についてのものであり、柱状体の取手１３の長手方向が戸板１２の左右方向となるように配置したときには、上面１３ａは横面となり、取手１３の横方向の幅は上下方向の幅となる。
【００１７】
また、取手１３は戸板１２に強固に取付けられていることが必要であるが、取手１３の取付面１３ｂは広く形成されているため、戸板１２に取付けるために必要な面積は十分に確保されている。
【００１８】
図３に基づいて、戸板への取手の取付の一例を説明する。
図３（ａ）に、戸板１２への取手１３の取付のために、各部材を配置した一例を示す。戸板１２を挟んでその両側に取手１３が配置されてネジ止め等により固定されるが、ここでは、戸板１２と取手１３との間に、金属製の板材１４を介して固定している。この図では、板材１４は戸板１２の片側のみに配置しているが、戸板１２の両側に配置してもよい。
【００１９】
図３（ｂ）に板材１４の構造を示し、図３（ｃ）に取手１３の取付面１３ｂを示す。板材１４は折り曲げ線１４ｃでほぼ直角に折り曲げられてなる固定面１４ａと差し込み面１４ｂとからなる。取手１３の取付面１３ｂには、板材１４の差し込み面１４ｂを差し込むための深い溝１５が設けられるとともに、板材１４の固定面１４をはめ込むための凹部１６が設けられている。板材１４の差し込み面１４ｂが溝１５に差し込まれ、板材１４の固定面１４ａが凹部１６にはめ込まれることによって、取手１３を戸板１２に取付けたときの締め付け力が強まり、固定が強固になる。
【産業上の利用可能性】
【００２０】
本発明は、使用者が引く方向を間違えて引戸を引こうとしたときにも、引戸が破損することを防止して、適正な方向に開閉することができる引戸用取手と引戸として利用することができる。
【図面の簡単な説明】
【００２１】
【図１】本発明の実施形態に係る引戸を示す図である。
【図２】本発明の実施形態に係る取手の詳細の一例を示す図である。
【図３】戸板への取手の取付の一例を説明するための図である。
【図４】一般的に使用されている引戸の例を示す図である。
【符号の説明】
【００２２】
１０  引戸
１１  レール
１２  戸板
１３  取手
１３ａ  上面
１３ｂ  取付面
１３ｃ  側面
１４  板材
１４ａ  固定面
１４ｂ  差し込み面
１４ｃ  折り曲げ線
１５  溝
１６  凹部
２１  車輪固定部
２２  車輪
【図１】
2008190211.tif 000003
【図２】
2008190211.tif 000004
【図３】
2008190211.tif 000005
【図４】
2008190211.tif 000006